(57)【特許請求の範囲】
【請求項１】
下げ振り糸（１）を巻き取るリール（２０）を包蔵したケース（１０）にその取付面（１０ａ）と略垂直な方向に移動自在に収容され、先端の針本体（４１）が前記取付面（１０ａ）から突没されると共に後部の針柄（４２）が前記ケース（１０）の背面（１０ｃ）から突出した止め針（４０）を有する下げ振り保持器において、
前記ケース（１０）に前記止め針（４０）と略平行な方向へ移動自在に収容され後端の頭部（５１）が前記背面（１０ｃ）から突没されるラックプレート（５０）と、
前記針柄（４２）に形成されたラック状歯部（４２ｃ）にその移動方向に噛合する第一の歯車部（６１）及び前記ラックプレート（５０）に形成されたラック状歯部（５２）にその移動方向に噛合する第二の歯車部（６２）が形成されたリンク部材（６０）とを備え、
このリンク部材（６０）は前記第一の歯車部（６１）側に偏在した軸（６３）の周りに回転自在に設けられてなることを特徴とする針抜き機構を備えた下げ振り保持器。
【請求項２】
請求項１の記載において、
ラックプレート（５０）は、付勢手段（６５）によってリンク部材（６０）を介してケース（１０）内へ向けて付勢されていることを特徴とする針抜き機構を備えた下げ振り保持器。
【発明の詳細な説明】
【０００１】
【発明の属する技術分野】
本発明は、建築施工において水平面に対する施工部の鉛直性の確認や地墨合わせをするための下げ振りを懸吊支持する下げ振り保持器であって、特に、固定用の止め針の針抜き機構を備えたものに関する。
【０００２】
【従来の技術】
下げ振り保持器の一種として、ケースに止め針が突没自在に設けられ、この止め針の刺し込みによって建築物の木製柱等に固定できるようにしたものがある。この種の下げ振り保持器は、下げ振りによる鉛直出し作業終了後、前記ケースの背面から突出している針柄の後部を引っ張ることによって木製柱等から止め針を引き抜くようにしてある。ところが、下げ振り保持器をしっかりと固定するためには、止め針を十分に刺し込む必要があるため、引き抜きの際には針柄をかなりの力で引っ張らなければならない。したがって、実際には作業者はそのような方法を採らず、もっと楽な方法で、すなわちケースを左右にこじることによって引き抜くことが多いため、止め針が曲がったり折損してしまい、早期に止め針の交換が必要となっていた。
【０００３】
そこで近年は、針柄を力まかせに引っ張ったり、ケースをこじるようなことをせずに、容易に止め針を引き抜くための針抜き機構を具備した下げ振り保持器が開発されており、その典型的な例が、特開平７−１９０７８１号公報に開示されている。この下げ振り保持器は、ケースの下部に揺動自在のハンドルが設けられており、木材等に刺し込んだ止め針を、ケース内の軸を支点とする前記ハンドルのてこ作用によって引き抜くようにしたものである。
【０００４】
【発明が解決しようとする課題】
しかしながら上記公報所載の下げ振り保持器は、ケース内の軸を支点としてハンドルのてこ作用を与えるものであるため、ハンドルがケース下部から長く突出した形状となっており、このため下げ振り保持器全体の大きさが大きくなり、道具箱等への収納に大きなスペースが必要になったり、携帯に不便であるといった問題がある。
【０００５】
本発明は、上記のような事情のもとになされたもので、その技術的課題とするところは、相手木材等に止め針で固定するようにした下げ振り保持器において、前記止め針を容易に引き抜くことができ、しかもその引き抜きのための機構によって、下げ振り保持器全体の大きさの増大を来さないようにすることにある。
【０００６】
【課題を解決するための手段】
上述した技術的課題は、本発明によって有効に解決することができる。
すなわち本発明に係る針抜き機構を備えた下げ振り保持器は、下げ振り糸を巻き取るリールを包蔵したケースにその取付面と略垂直な方向に移動自在に収容され、先端の針本体が前記取付面から突没されると共に後部の針柄が前記ケースの背面から突出した止め針を有する下げ振り保持器において、前記ケースに前記止め針と略平行な方向へ移動自在に収容され後端の頭部が前記背面から突没されるラックプレートと、前記針柄に形成されたラック状歯部にその移動方向に噛合する第一の歯車部及び前記ラックプレートに形成されたラック状歯部にその移動方向に噛合する第二の歯車部が形成されたリンク部材とを備え、このリンク部材は前記第一の歯車部側に偏在した軸の周りに回転自在に設けられたものである。なお、ここで「背面」とは、前記取付面と反対側を向いた面をいう。
【０００７】
本発明において、下げ振り保持器を木製柱等に固定する際には、ケース背面から突出した針柄の頭部を手で押し付けるか、あるいは木槌などで打つことによって止め針を建築物の木製柱等に刺し込む。この時、止め針の刺し込み方向への前進移動によってリンク部材が回転し、このリンク部材を介してラックプレートが後退移動し、その後端部がケース背面から突出する。
【０００８】
いったん刺し込んだ止め針を引き抜く際には、ケース背面から突出したラックプレートの後端部をケースへ向けて押し込む。すると、ラックプレートの移動に伴ってリンク部材が止め針の刺し込み時と反対方向へ回転し、このリンク部材を介して止め針が後退移動され、木製柱等から引き抜かれる。また、前記リンク部材の回転軸心は第一の歯車部側に偏在しているため、第一の歯車部を作用点、第二の歯車部を力点、前記回転軸心を支点とする力のモーメントによって、ラックプレートの軽い押し込みで容易に止め針を引き抜くことができる。
【０００９】
また、本発明において一層好ましくは、ラックプレートが付勢手段によってリンク部材を介してケース内へ向けて付勢された構成とする。このようにすれば、非使用時はラックプレートがケース内に収容された状態に保持される。
【００１０】
【発明の実施の形態】
図１は本発明に係る針抜き機構を備えた下げ振り保持器の好ましい一実施形態を示す内部構造説明図であり、図２は図１におけるII−II’線上で切断した断面図である。参照符号１０は、複数のビス穴１１の各々にねじ込まれるビス（図示省略）によって図示の面と直交する方向に対称に組み合わされるケースで、すなわち図１は、一方のケースを取り去って内部を露出させた状態を示すものである。
【００１１】
参照符号２０はケース１０内に収納されこのケース１０に形成された軸２１の周りに回転されて下げ振り糸１を巻き取るリール、２２はこのリール２０と軸２１の間の空間に設けられてリール２０を下げ振り糸１の巻き取り方向に付勢する渦巻きバネである。下げ振り糸１は、リール２０の外周から、ケース１０内に配置された複数の糸掛けピン１２（１２1 〜１２8 ）のうちのいくつかに接触するように蛇行し、ケース１０の下端に取り付けた蓋部材１３の糸出口１３ａを通ってケース１０の外部へ導出されており、その端部に、錘体２（図４の使用状態参照）が繋着されている。
【００１２】
糸掛けピン１２1 〜１２8 のうち、２本の糸掛けピン１２4 ，１２5 は、調整ツマミ１４に設けられており、この調整ツマミ１４は、ケース１０に所定の角度範囲内で回転可能な状態に設けられている。すなわち、調整ツマミ１４をケース１０の外部から任意の角度だけ回転させることによって、糸掛けピン１２4 ，１２5 も共に回転して、糸掛けピン１２3 〜１２6 間での下げ振り糸１の蛇行角度が変化するので、これによって下げ振り糸１に対する摩擦抵抗を増減させ、下げ振り糸１の下垂長さを調整することができる。
【００１３】
ケース１０の前面の取付面１０ａには、このケース１０（下げ振り保持器）を建築物における鉄骨柱に固定するための永久磁石３０が取り付けられており、ケース１０内の上部には、ケース１０（下げ振り保持器）を建築物における木製柱等の木部に止着するための止め針４０がケース１０の取付面１０ａに対して略垂直な方向へ移動自在に収容されている。
【００１４】
止め針４０は、図３の斜視図にも示すように、取付面１０ａの上部に開設された小孔１０ｂから突出可能な針本体４１と、その後部の針柄４２からなる。針柄４２の前方（図１における左側）には圧縮コイルスプリング４３が配置されており、止め針４０は、この圧縮コイルスプリング４３の伸長方向の付勢力によって、通常は針本体４１が前記小孔１０ｂからケース１０の内部に没入すると共に、針柄４２の後端の頭部４２ａが、ケース１０の背面１０ｃから外部へ突出した状態にある。止め針４０の針柄４２の先端部上面には係合突起４２ｂが形成され、前記針柄４２の下面にはラック状歯部４２ｃ及び複数の係合凹部４２ｄが形成されている。前記係合突起４２ｂは、止め針４０が図１に示す後退位置にある場合に、ケース１０の上端面１０ｄに回転自在に取り付けられたスライダ１５の下面のストッパ１５ａと衝合し、これによってケース１０内からの止め針４０の脱落が阻止されている。
【００１５】
ケース１０内の下部には、ラックプレート５０が止め針４０と略平行な方向へ移動自在に収容され、その後端の頭部５１が前記ケース１０の背面１０ｃの下部に形成された開口部から突没されるようになっている。このラックプレート５０の先端近傍の上面にはラック状歯部５２が形成されている。
【００１６】
ケース１０内には、止め針４０のラック状歯部４２ｃと噛合する第一の歯車部６１及びラックプレート５０のラック状歯部５２と噛合する第二の歯車部６２が形成されたリンク部材６０が、前記止め針４０とラックプレート５０との間に位置して配置されている。このリンク部材６０は、第一の歯車部６１寄りの部分において、ピン軸６３を介してケース１０に回転可能に取り付けられ、付勢手段としての引っ張りコイルスプリング６５によって、図１及び図４における時計回りの方向へ引っ張り付勢されている。第一の歯車部６１及び第二の歯車部６２はいずれも、前記ピン軸６３を中心とする円周に沿って形成されている。また、リンク部材６０には、リール２０を支持している軸２１等との干渉を避けるための円弧状の長孔６４が開設されている。
【００１７】
ケース１０の内側面におけるピン軸６３の外周側には、このピン軸６３の軸心を中心とする円周状の軸受部１６が形成されており、この軸受部１６には、リンク部材６０における軸孔の外周側にこの軸孔を中心とする円周状に段付き形成された環状段差面６６が摺回動自在に嵌合されている。すなわち、リンク部材６０は、軸受部１６によってピン軸６３の周りに回転可能に支持されている。
【００１８】
ケース１０の背面１０ｃにおける針柄４２の突出位置の下側には、ロック部材１７が上下摺動可能に設けられており、このロック部材１７の上端部１７ａを前記針柄４２の下面の係合凹部４２ｄに挿入係合することによって、止め針４０を固定することができるようになっている。
【００１９】
上述の構成を備える下げ振り保持器は、止め針４０が後退位置にあってその針本体４１がケース１０内に没入している通常においては、後述する針抜き動作のためのラックプレート５０がケース１０内に収容された状態にある。止め針４０は圧縮コイルスプリング４３によって後退方向へ付勢されているため、針本体４１がケース１０内から不用意に飛び出すようなことはないが、ロック部材１７と針柄４２の係合凹部４２ｄとの係合によって、止め針４０を前記後退位置にロックしておけば一層安全である。また、この状態において第一の歯車部６１が針柄４２のラック状歯部４２ｃと実質的な噛合状態にないリンク部材６０は、引っ張りコイルスプリング６５で図１における時計回りの方向に付勢されているので、その第二の歯車部６２とラック状歯部５２との噛合部を介してラックプレート５０も図１に示す収納位置に保持される。
【００２０】
下げ振りによる鉛直測定作業の際には、取付相手面が鉄骨等からなる場合は永久磁石３０の磁気吸着力によって、また、木材からなる場合は止め針４０の刺し込みによって、当該下げ振り保持器を所定高さに取り付ける。図４は、木製柱３に止め針４０の刺し込みによって固定した状態を示すものである。すなわち、ケース１０の背面１０ｃから突出した針柄４２の頭部４２ａを押圧又は叩打することによって止め針４０の針本体４１を前記木製柱３に刺し込むと、針柄４２のラック状歯部４２ｃが変位し、これに噛合している第一の歯車部６１によってリンク部材６０がピン軸６３を中心に図の反時計回りの方向に回転するため、ラック状歯部５２においてリンク部材６０の第二の歯車部６２と噛合しているラックプレート５０が後退移動し、その頭部５１がケース１０の背面１０ｃから突出した状態となる。鉛直測定作業は、上記取付状態において、錘体２を繋着した下げ振り糸１を、糸出口１３ａからケース１０の下方へ繰り出し、鉛直に下垂することによって行う。
【００２１】
測定終了後、下げ振り保持器を木製柱３から取り外す場合は、ケース１０の背面１０ｃから突出しているラックプレート５０の頭部５１をケース１０内へ押し込むだけでよい。すなわち、ラックプレート５０の頭部５１をケース１０内へ押し込むと、第二の歯車部６２においてラックプレート５０のラック状歯部５２と噛合しているリンク部材６０がピン軸６３を中心に図の時計回りの方向に回転するため、その第一の歯車部６１とラック状歯部４２ｃとの噛合部を介して止め針４０の針柄４２に後退方向の荷重が作用する。このときの引き抜き荷重Ｆ2 は、リンク部材６０の回転軸心に相当する軸受部１６の中心を支点として、作用点となる第一の歯車部６１の半径ｒ1 と、力点となる第二の歯車部６２の半径ｒ2 との関係で与えられる力のモーメント；
Ｆ1 ・ｒ2 ＝Ｆ2 ・ｒ1
によって、ラックプレート５０に対する押し込み荷重Ｆ1 よりもはるかに大きくなるため、小さな押し込み力で容易に止め針４０を引き抜くことができ、これによって下げ振り保持器が木製柱３から取り外される。
【００２２】
なお、本発明は図示の一実施形態によって限定されるものではない。例えば止め針４０、ラックプレート５０及びリンク部材６０等の形状は種々のものが考えられ、また、リンク部材６０を図１，図４における時計回りの方向へ付勢する手段としては引っ張りコイルスプリング６５以外のバネ部材、例えば取付位置によっては圧縮コイルスプリングあるいはトーションバネ等を用いることができる。
【００２３】
【発明の効果】
本発明に係る針抜き機構を備えた下げ振り保持器によると、次のような効果が実現される。
(1) 止め針の刺し込みによって固定した下げ振り保持器は、ラックプレートを軽い力でケースに押し込むだけで止め針が引き抜かれるので、容易に取り外すことができる。
(2) 通常は、止め針の引き抜きのためのラックプレートがケース内に収容された状態にあるので、道具箱等における下げ振り保持器の収納スペースが大きくならず、携帯しやすい。
【図面の簡単な説明】
【図１】本発明に係る針抜き機構を備えた下げ振り保持器の好ましい一実施形態を示す内部構造説明図である。
【図２】上記実施形態の針抜き機構を備えた下げ振り保持器を図１のII−II’線上で切断して示す断面図である。
【図３】上記実施形態の針抜き機構を備えた下げ振り保持器における止め針をコイルスプリングと共に示すもので、（Ａ）は斜め上方から見た斜視図、（Ｂ）は斜め下方から見た斜視図である。
【図４】上記実施形態の針抜き機構を備えた下げ振り保持器の使用状態を示す内部構造説明図である。
【符号の説明】
１  下げ振り糸
２  錘体
１０  ケース
１０ａ  取付面
１０ｃ  背面
２０  リール
４０  止め針
４１  針本体
４２  針柄
４２ｃ  ラック状歯部
５０  ラックプレート
５２  ラック状歯部
６０  リンク部材
６１  第一の歯車部
６２  第二の歯車部
６３  ピン軸（軸）
６５  引っ張りコイルスプリング（付勢手段）
【図１】
0003699546.tif 000002
【図２】
0003699546.tif 000003
【図３】
0003699546.tif 000004
【図４】
0003699546.tif 000005